(57)【要約】      （修正有）【課題】鍵穴の開口を遮蔽する蓋部材を持ち、水分や塵埃の侵入を防ぎつつ、不正開錠行為を防止する、防塵及び盗難防止効果に優れた、八万ロック式錠前を提供する。【解決手段】チューブラ錠１０と、蓋部材２０と、取付け工具３０とを備え、チューブラ錠は、鍵穴１２と、該鍵穴の内側に位置するメスネジ孔１３を含み、蓋部材は、チューブラ錠に着脱可能に結合されると共に、蓋板部、オスネジ部、及び第１嵌合部２３を含み、蓋板部が鍵穴を遮蔽し、オスネジ部がメスネジ孔と螺合可能であり、第１嵌合部が、蓋板部の表側面上に形成され、取付け工具は、対応する蓋部材の第１嵌合部に嵌合可能な形状及び寸法に形成される第２嵌合部を含み、第２嵌合部及び第１嵌合部の嵌合関係により、取付け工具が蓋部材と一体に回転することができることを特徴とする。【選択図】図２
0003232986.tif 000002
【実用新案登録請求の範囲】
【請求項１】
八万ロック式錠前であって、チューブラ錠と、蓋部材と、取付け工具とを備え、
前記チューブラ錠は、挿入面と、円環状を呈し、該挿入面上に形成される鍵穴と、該鍵穴の内側に位置するように、該挿入面上に形成されるメスネジ孔を含み、
前記蓋部材は、前記チューブラ錠に着脱可能に結合されると共に、蓋板部、オスネジ部、及び第１嵌合部を含み、該蓋板部が、前記鍵穴を遮蔽し、且つ該チューブラ錠に面する裏側面と、反対側にある表側面とを有し、該オスネジ部が該蓋板部の裏側面上に形成され、該蓋部材が該オスネジ部を介して、前記チューブラ錠のメスネジ孔に着脱可能に螺合され、該第１嵌合部が、該蓋板部の表側面上に形成され、
前記取付け工具は、対応する前記蓋部材の第１嵌合部に嵌合可能な形状及び寸法に形成される第２嵌合部を含み、該第２嵌合部及び第１嵌合部の嵌合関係により、該取付け工具が前記蓋部材と一体に回転することができることを特徴とする八万ロック式錠前。
【請求項２】
請求項１に記載の八万ロック式錠前において、
前記取付け工具が、円柱状を呈すると共に、相対する第１端部と第２端部とを有し、該第１端部に前記第２嵌合部が形成され、該第２端部に端面を貫通する規制溝が形成され、
前記八万ロック式錠前は、鍵先端部と規制凸部を有するバレルキーを備え、
該鍵先端部が、円筒状を呈し、前記取付け工具の第２端部が該鍵先端部に着脱可能に挿設され、該鍵先端部の端面が、対応する前記チューブラ錠の鍵穴に嵌合可能な形状及び寸法を有し、該バレルキーを該チューブラ錠に差し込んで回動操作することにより、該チューブラ錠を施開錠し、
該規制凸部は、前記鍵先端部の内側に配置され、前記規制溝内に着脱可能に挿設され、該規制溝が、前記取付け工具の円周方向に沿って該規制凸部に当接することにより、該バレルキーと取付け工具とは該取付け工具の円周方向に互いに拘束されることを特徴とする八万ロック式錠前。
【請求項３】
請求項２に記載の八万ロック式錠前において、
前記バレルキーの鍵先端部の環状壁面上に、係合孔が貫通するように形成され、
前記取付け工具は、外周面に収容孔が形成されると共に、係止ユニットと弾性部材を有し、該係止ユニットが該収容孔内に移動可能に収容され、該弾性部材が、該収容孔内に配置されると共に、該係止ユニットを外向きに付勢しており、該係止ユニットが、該取付け工具の外周面よりも突出し、
該係止ユニットが、該弾性部材の付勢により、前記鍵先端部の係合孔内に当接して係止され、これにより、前記バレルキーと取付け工具とが係合されることを特徴とする八万ロック式錠前。
【請求項４】
請求項３に記載の八万ロック式錠前において、前記取付け工具の外周面上に、把持溝が形成されることを特徴とする八万ロック式錠前。
【請求項５】
請求項１から請求項４のいずれか１項に記載の八万ロック式錠前において、
前記蓋部材の第１嵌合部は、前記表側面から裏側面に向かって窪むように形成される凹み部と、該凹み部内に形成される嵌合凸部とを有し、
前記取付け工具の第２嵌合部は、凸柱と、該凸柱の端面に形成される嵌合凹部とを有し、該凸柱の外周面が、前記凹み部の内周面の形状及び寸法と対応する形状及び寸法を有し、該嵌合凹部が、前記嵌合凸部の形状及び寸法と対応する形状及び寸法を有することを特徴とする八万ロック式錠前。
【請求項６】
請求項１から請求項４のいずれか１項に記載の八万ロック式錠前において、
前記チューブラ錠は、前記挿入面上において、前記鍵穴の外側に配置されるシール溝が設けられ、
前記八万ロック式錠前は、前記蓋部材の蓋板部の裏側面に密着するように、前記シール溝内に装着されるゴムリングを備えることを特徴とする八万ロック式錠前。
【考案の詳細な説明】
【技術分野】
【０００１】
本考案は、八万ロック式錠前に関し、特に、防塵及び盗難防止効果に優れた、八万ロック式錠前に関するものである。
【背景技術】
【０００２】
八万錠は、構造が簡単で、体積が小さく、生産コストが低く、盗難防止性が高いという特徴を有することから、自動販売機、パーキングメーター、ゲーム機、コインロッカーなどの装置によく使用される。
【０００３】
しかしながら、従来の八万錠において、鍵穴の開口には、遮蔽部材が付いていないため、ロックシリンダー内部の全ての押しピンが鍵穴の開口から部分的に露出する（つまり、ロックシリンダー内部の全ての押しピンが誰でも簡単に鍵穴の開口を通して外から見える）ことが理由で、従来の八万錠には下記の欠点を有する。
【０００４】
その１、従来の八万錠は水分や塵埃が入りやすいことから、ロックシリンダー内部の押しピンなどの構成部材が錆びたり詰まったりして、施開錠できなくなる虞があった。
【０００５】
その２、従来の八万錠は、普通のシリンダー錠に比べて、ピッキングされにくい特徴があるが、鍵穴の開口に遮蔽構造を付けておらず、ロックシリンダーの押しピンが外から見えることから、不正開錠をしようとする者がピッキング作業に時間をかければ、盗難の被害に遭う可能性が高くなる。
【考案の概要】
【考案が解決しようとする課題】
【０００６】
本考案は、従来技術の欠点に鑑みてなされたものであり、鍵穴の開口を遮蔽する蓋部材を持ち、水分や塵埃の侵入を防ぎつつ、不正開錠行為を防止する、防塵及び盗難防止効果に優れた、八万ロック式錠前を提供することを目的としている。
【課題を解決するための手段】
【０００７】
上記目的を達成するために、本考案は、防塵及び盗難防止効果に優れた、八万ロック式錠前であって、チューブラ錠と、蓋部材と、取付け工具とを備え、
前記チューブラ錠は、挿入面と、円環状を呈し、該挿入面上に形成される鍵穴と、該鍵穴の内側に位置するように、該挿入面上に形成されるメスネジ孔を含み、
前記蓋部材は、前記チューブラ錠に着脱可能に結合されると共に、蓋板部、オスネジ部、及び第１嵌合部を含み、該蓋板部が、前記鍵穴を遮蔽し、且つ該チューブラ錠に面する裏側面と、反対側にある表側面とを有し、該オスネジ部が該蓋板部の裏側面上に形成され、該蓋部材が該オスネジ部を介して、前記チューブラ錠のメスネジ孔に着脱可能に螺合され、該第１嵌合部が、該蓋板部の表側面上に形成され、
前記取付け工具は、対応する前記蓋部材の第１嵌合部に嵌合可能な形状及び寸法に形成される第２嵌合部を含み、該第２嵌合部及び第１嵌合部の嵌合関係により、該取付け工具が前記蓋部材と一体に回転することができることを特徴とする。
【考案の効果】
【０００８】
上述したように、本考案の優れたところは、オスネジ部を介して、チューブラ錠の円環状の鍵穴の内側に形成されたメスネジ孔に螺合連結される蓋部材の設置により、蓋板部で水分や塵埃の侵入を防ぐことができ、ロックシリンダー内部の押しピンなどの構成部材が錆びたり詰まったりして、施開錠できなくなることを解消する。また、鍵穴が蓋板部によって遮蔽されているため、不正開錠をしようとする者が、不法ピッキングを試みようとしても、鍵穴に手が届くことが困難であるので、盗難の被害に遭う可能性が減少し、盗難防止性がより一層高まる。さらに、蓋部材を取り付けたり、取り外したりする時に、取付け工具の利用に伴って行われることから、ペアとしての蓋部材の第１嵌合部と取付け工具の第２嵌合部との外形を特別な形状に設計すれば、関係者以外の者は、本考案の取付け工具以外の道具を使って、蓋部材を取り外したりすることができないので、盗難防止効果をさらに高めることができる。
【図面の簡単な説明】
【０００９】
【図１】本考案に係る八万ロック式錠前の第１実施例を示す斜視図である。
【図２】本考案に係る八万ロック式錠前の第１実施例を示す分解斜視図である。
【図３】本考案に係る八万ロック式錠前の第１実施例を示す側面断面図である。
【図４】図３内のＡ-Ａ線断面図である。
【図５】図３内のＢ-Ｂ線断面図である。
【図６】本考案の第１実施例における、バレルキー及び取付け工具を示す分解斜視図である。
【図７】本考案の第１実施例における、取付け工具及び蓋部材を示す分解斜視図である。
【図８】本考案の第１実施例における、蓋部材及びチューブラ錠を示す分解斜視図である。
【図９】本考案の第１実施例において、バレルキーをチューブラ錠に差し込んで回す操作を示す模式図である。
【図１０】本考案の第１実施例において、バレルキーをチューブラ錠に差し込んで回す操作を示す模式図である。
【図１１】考案に係る八万ロック式錠前の第２実施例を示す分解斜視図である。
【考案を実施するための形態】
【００１０】
図１〜図３に示すように、本考案に係る八万ロック式錠前は、チューブラ錠１０、蓋部材２０、取付け工具３０、バレルキー４０及びゴムリング５０を備える。
【００１１】
本考案の第１実施例においての前記チューブラ錠１０は、挿入面１１と、鍵穴１２と、メスネジ孔１３と、シール溝１４とを含み、該鍵穴１２は、円環状を呈し、該挿入面１１に形成され、該メスネジ孔１３は、該挿入面１１において、該鍵穴１２の内側に配置され、該シール溝１４は、該挿入面１１において、該鍵穴１２の外側に配置される。
【００１２】
図３、図５、図７及び図８に示すように、前記蓋部材２０は、前記チューブラ錠１０に着脱可能に結合されると共に、蓋板部２１、オスネジ部２２及び第１嵌合部２３を含み、該蓋板部２１が、該鍵穴１２を遮蔽し、且つ相対する裏側面と表側面とを有し、該裏側面が該チューブラ錠１０に面しており、該オスネジ部２２が、該蓋板部２１の裏側面上に形成されると共に、該チューブラ錠１０のメスネジ孔１３と着脱可能に螺合連結され、該第１嵌合部２３が該蓋板部２１の表側面上に形成される。具体的に述べると、第１実施例において、前記第１嵌合部２３は、凹み部２３１及び嵌合凸部２３２を含み、該凹み部２３１は、前記表側面から裏側面に向かって窪むように形成され、該嵌合凸部２３２が、該凹み部２３１内において形成される。該嵌合凸部２３２の外形は、特殊な形状に設計され、すなわち、一般の六角形や星型のネジ頭とは異なり、前記取付け工具３０の外形にのみ合致する特別な形状を有し、これにより、確実な防盗効果を得られる。また、他の実施例においては、前記第１嵌合部２３には、凹み部２３１を有しなくてもよく、前記嵌合凸部２３２が、前記蓋板部２１の表側面上に直接に形成されればよい。
【００１３】
図３、図４、図６及び図７に示すように、本考案の第１実施例においての取付け工具３０は、円柱状を呈すると共に、第１端部３１、第２端部３２、第２嵌合部３３、収容孔３４、係止ユニット３５、弾性部材３６及び把持溝３７を含み、該第１端部３１と第２端部３２は、該取付け工具３０の相対する両端部であり、該第２端部３２上に、該第２端部３２の端面を貫通する規制溝３２１が形成され、該第２嵌合部３３が、該第１端部３１上に形成され、該第２嵌合部３３と前記第１嵌合部２３とを互いに嵌め合わせるために、該第２嵌合部３３は、前記蓋部材２０の第１嵌合部２３に対応する嵌合可能な形状及び寸法を有し、該第２嵌合部３３と第１嵌合部２３とを嵌め合わせて、該取付け工具３０を回転操作すると、該蓋部材２０を前記チューブラ錠１０に対して回すことができる。前記第２嵌合部３３は、凸柱３３１と、該凸柱３３１の端面に形成される嵌合凹部３３２とを有し、該凸柱３３1の外周面は、前記第１嵌合部２３の凹み部２３１の内周面の形状及び寸法に対応する形状及び寸法を有し、該嵌合凹部３３２は、前記第１嵌合部２３の嵌合凸部２３２の形状及び寸法に対応する形状及び寸法を有する。つまり、第１実施例においての第１嵌合部２３と第２嵌合部３３が、特殊な形状で嵌合されているため、特定の取付け工具３０を使わない限り、前記蓋部材２０を回すことができず、つまり、他の道具で施開錠をすることができない。
【００１４】
要するに、前記第１嵌合部２３と第２嵌合部３３とは、鍵と錠のような機能を発揮しおり、両者が合致する形状でない限り、施開錠することができない。また、前記第１嵌合部２３と第２嵌合部３３との組み合わせ形状は、無限に多様なパターンを有し、つまり、個々の第１嵌合部２３と第２嵌合部３３との組み合わせ形状は、他の第１嵌合部２３と第２嵌合部３３との組み合わせ形状とは異なる。このような設計により、ペアである特定の取付け工具３０だけがぺアである特定の蓋部材２０を施開錠できることを確保する。
【００１５】
前記収容孔３４は前記取付け工具３０の外周面上に形成され、前記係止ユニット３５は該収容孔３４内に移動可能に収容され、前記弾性部材３６は、該収容孔３４内に配置されるように、該係止ユニット３５を外向きに付勢し、これにより、該係止ユニット３５が、該取付け工具３０の外周面よりも突出しており、前記把持溝３７は、該取付け工具３０の外周面上に形成される。
【００１６】
図３、図４、図６、図９及び図１０に示すように、前記バレルキー４０は、鍵先端部４１及び規制凸部４２を有し、該鍵先端部４１が円筒状を呈し、前記取付け工具３０の第２端部３２が該鍵先端部４１に着脱可能に挿設され、該鍵先端部４１の環状壁面上に、係合孔４１１が貫通するように形成され、該鍵先端部４１の端面が、対応する前記チューブラ錠１０の鍵穴１２に嵌合可能な形状及び寸法を有し、該バレルキー４０を該チューブラ錠１０に差し込んで回動操作することにより、該チューブラ錠１０を施開錠する。前記規制凸部４２は、前記鍵先端部４１の内周に配置され、前記取付け工具３０の第２端部３２上の規制溝３２１内に摺動可能に挿入され、該規制溝３２１が、前記取付け工具３０の円周方向に沿って該規制凸部４２に当接することにより、該バレルキー４０と取付け工具３０とは該取付け工具３０の円周方向に互いに拘束される。前記取付け工具３０の係止ユニット３５が、前記弾性部材３６の外向きの付勢力により、前記鍵先端部４１の係合孔４１１内に当接するように押し付けられることにより、前記バレルキー４０と取付け工具３０とが互いに係合固定されるようになる。尚、他の実施例においては、前記鍵先端部４１の環状壁面を貫通する係合孔４１１を有しなくてもよく、前記係止ユニット３５を係止する目的を達成するために、該鍵先端部４１の内管面上に窪むように形成される係合凹部が形成されてもよい。
【００１７】
上述した技術特徴によれば、本考案に係る八万ロック式錠前は、使用時に、まず、前記取付け工具３０を、前記第２端部３２から、前記バレルキー４０の円筒状の鍵先端部４１内に差し込み、この時、該バレルキー４０の規制凸部４２が、該取付け工具３０の規制溝３２１の第２端部３２の端面上に形成された開口を通して、前記規制溝３２１に進入する。次に、前記取付け工具３０の外周面よりも突出する前記係止ユニット３５が前記鍵先端部４１の開口縁に当接するまで差し込むと、該取付け工具３０に更なる力を加えて、該取付け工具３０を該鍵先端部４１内に押し込み、すると、該係止ユニット３５が、前記弾性部材３６を内向きに圧縮し、その結果、該取付け工具３０が該鍵先端部４１の奥に差し込むことができるようになる。その際に、前記係止ユニット３５が、前記弾性部材３６の付勢力により、前記鍵先端部４１の内周壁面に当接しつつ該鍵先端部４１の奥に移動し、該鍵先端部４１の係合孔４１１に到達すると、該弾性部材３６の付勢力により該係止ユニット３５が該係合孔４１１に押し付けられて係止され、その結果、前記バレルキー４０と前記取付け工具３０とが、互いに係止固定される状態となる。また、前記規制溝３２１が、前記取付け工具３０の周方向に沿って前記規制凸部４２に当接しているため、該取付け工具３０が前記バレルキー４０に対して回転することができず、つまり、該取付け工具３０とバレルキー４０とが一体に結合されていることから、該バレルキー４０の回動操作に連れ、該取付け工具３０が、前記蓋部材２０を回して緩め、前記チューブラ錠１０から取り外すことができる。前記蓋部材２０が取り外された後、前記鍵穴１２が開放されるようになり、その後、使用者が前記把持溝３７を把持して力を入れ、前記取付け工具３０を前記バレルキー４０の鍵先端部４１から抜き出す。前記取付け工具３０を抜き出す時に、前記係止ユニット３５は、再び該取付け工具３０の内部に押し付けられて、前記係合孔４１１との係止状態から解除され、すると、使用者が、前記バレルキー４０と該取付け工具３０を分離することができるようになる。最後に、前記バレルキー４０の鍵先端部４１を前記チューブラ錠１０の鍵穴１２に差し込んで回せば、該チューブラ錠１０を開錠することができる。
【００１８】
尚、前記バレルキー４０と取付け工具３０との結合構造がこれに限定されるものではなく、該バレルキー４０が前記規制凸部４２を有しないと共に、該取付け工具３０も前記規制溝３２１、収容孔３４、係止ユニット３５、弾性部材３６及び把持溝３７を有しなくてもよく、両者の間に、例えば、ピンによる結合手段を利用してもよく、又は任意の結合手段を介して一体に結合できればよく、或は両者を結合せずに、該取付け工具３０単体を使ってもよい。
【００１９】
図３及び図８に示すように、前記ゴムリング５０は、前記蓋部材２０の蓋板部２１裏側面に密着するように、前記シール溝１４内に装着され、該蓋部材２０が前記チューブラ錠１０に結合される状態下、該ゴムリング５０により、防水効果をもたらし、該チューブラ錠１０の内部構成部材が錆びてしまうことを回避する。
【００２０】
図１１に示すように、本考案の第２実施例は、第１実施例とほぼ同じであるが、相違点としては、第２実施例での取付け工具３０Ａが六角柱形状を呈することと、前記八万ロック式錠前はホルダー６０Ａを備えることである。詳しく述べると、前記ホルダー６０Ａは、挿設部６１Ａ及び摘み部６２Ａを含み、該挿設部６１Ａは、内周面が断面六角形を呈し、前記取付け工具３０Ａは、該挿設部６１Ａの内周面に対応する外形を有すると共に、該挿設部６１Ａに着脱可能に挿設され、該摘み部６２Ａは、該挿設部６１Ａに一体的に連結されると共に、該挿設部６１Ａの径方向に沿って延出するように形成される。使用時に、第２実施例においての取付け工具３０Ａは、前記ホルダー６０Ａと組み合わせられて利用し、具体的に述べると、使用者は、まず、該取付け工具３０Ａの第２端部３２Ａを、該挿設部６１Ａ内に挿入して、該取付け工具３０Ａとホルダー６０Ａとを結合させ、次に、指で前記摘み部６２Ａを把持して回し、該取付け工具３０Ａを介して、前記蓋部材２０Ａを取り外す。また、第２実施例においては、前記ホルダー６０Ａの摘み部６２Ａ上に、前記取付け工具３０Ａが着脱可能に嵌合される六角孔６２１Ａが形成され、該六角孔６２１Ａと取付け工具３０Ａとを組み合わせて使用する時、前記挿設部６１Ａは、把持取っ手として、回動操作をしやすくする。また、第２実施例においての前記取付け工具３０Ａは、その第２端部３２Ａに、ねじ回しヘッド３２１Ａが形成されているため、前記第１端部３１Ａを前記挿設部６１Ａに挿入してホルダー６０Ａと組み合わせると、ネジ締めドライバーとして利用することができる。
【００２１】
上述した技術特徴によれば、本考案の優れたところはオスネジ部２２を介して、チューブラ錠１０の円環状の鍵穴１２の内側に形成されたメスネジ孔１３に螺合連結される蓋部材２０の設置により、蓋板部２１で水分や塵埃の侵入を防ぐことができ、ロックシリンダー内部の押しピンなどの構成部材が錆びたり詰まったりして、施開錠できなくなることを解消する。また、鍵穴１２が蓋板部２１によって遮蔽されているため、不正開錠をしようとする者が、不法ピッキングを試みようとしても、鍵穴１２に手が届くことが困難であるので、盗難の被害に遭う可能性が減少し、盗難防止性がより一層高まる。さらに、蓋部材２０を取り付けたり、取り外したりする時に、取付け工具３０の利用に伴って行われることから、ペアとしての蓋部材の第１嵌合部と取付け工具３０の第２嵌合部３３との外形を特別な形状に設計すれば、関係者以外の者は、本考案の取付け工具３０以外の道具を使って、蓋部材２０を取り外したりすることができないので、盗難防止効果をさらに高めることができ、つまり、取付け工具３０を第２のバレルキーとして利用することができ、取付け工具３０とバレルキー４０をそれぞれ、二人で別々に保管することで、保管者二人の合意の上でなければ、施開錠ができないことを確保する。
【符号の説明】
【００２２】
１０    チューブラ錠
１１    挿入面
１２    鍵穴
１３    メスネジ孔
１４    シール溝
２０    蓋部材
２１    蓋板部
２２    オスネジ部
２３    第１嵌合部
２３１  凹み部
２３２  嵌合凸部
３０    取付け工具
３１    第１端部
３２    第２端部
３２１  規制溝
３３    第２嵌合部
３３１  凸柱
３３２  嵌合凹部
３４    収容孔
３５    係止ユニット
３６    弾性部材
３７    把持溝
４０    バレルキー
４１    鍵先端部
４１１  係合孔
４２    規制凸部
５０    ゴムリング
３０Ａ  取付け工具
３１Ａ  第１端部
３２Ａ  第２端部
３２１Ａ  ねじ回しヘッド
６０Ａ  ホルダー
６１Ａ  挿設部
６２Ａ  摘み部
６２１Ａ  六角孔
【図１】
0003232986.tif 000003
【図２】
0003232986.tif 000004
【図３】
0003232986.tif 000005
【図４】
0003232986.tif 000006
【図５】
0003232986.tif 000007
【図６】
0003232986.tif 000008
【図７】
0003232986.tif 000009
【図８】
0003232986.tif 000010
【図９】
0003232986.tif 000011
【図１０】
0003232986.tif 000012
【図１１】
0003232986.tif 000013